(57)【要約】【課題】ＳＥＥＫ直後は最新のデータ放送の情報を表示することを目的とするものである。【解決手段】表示制御部１８の表示更新間隔を、周波数制御部の周波数変更間隔より遅く設定し、周波数制御部１６と表示制御部１８とを非同期に動作させることにより、表示制御部１８がＳＥＥＫ停止周波数を表示する前にデータ放送の受信が可能となり、ＳＥＥＫ停止周波数に表示が更新されるまでの間に最新のデータ放送のデータを受信できる。したがって、表示器１４は、ＳＥＥＫ停止周波数が表示されると同時にデータ放送の受信内容を表示することができる。【選択図】図１
2012090195.tif 000002
【特許請求の範囲】
【請求項１】
同調周波数を順次変更し放送局を受信することが可能な周波数に変更されると同調周波数の変更を停止するＳＥＥＫ動作を行い、前記ＳＥＥＫ動作中および前記ＳＥＥＫ動作後の同調周波数を表示するラジオ受信機であって、
前記同調周波数の周波数変更を制御する周波数制御部と、周波数とＳＥＥＫ停止フラグとを対応付けて保持するＳＥＥＫ結果データベースと、前記ＳＥＥＫ結果データベースに保持された情報と前記ＳＥＥＫ動作後の受信内容とに基づいて周波数表示更新を制御する表示制御部とを有した制御ＣＰＵを備え、
前記表示制御部が行う周波数表示更新の制御間隔は、前記周波数制御部が行う周波数変更の制御間隔より長いことを特徴とするラジオ受信機。
【請求項２】
同調周波数を用いてＲＦ信号をＩＦ信号に周波数変換する周波数変換器と、前記ＩＦ信号から音声とデータ放送を復調する復調器と、前記ＩＦ信号の信号の強さを測定するＳメータとを備え、
前記周波数制御部は、使用者によりＳＥＥＫ動作を指示されることで、前記周波数変換器の同調周波数を順次変更し、前記Ｓメータで測定された値が閾値を超える周波数に同調した場合に同調周波数の変更動作を停止し、停止した周波数にＳＥＥＫ停止フラグを立てるとともに、前記復調器によるデータ放送の受信を開始する請求項１記載のラジオ受信機。
【請求項３】
前記表示制御部は、前記周波数制御部がＳＥＥＫ動作を停止したあと、ＳＥＥＫ動作が停止した周波数に周波数表示更新が追いつくまでの間に、前記復調器のデータ放送の受信信号を受信し、表示がＳＥＥＫ停止周波数に追いつくと、周波数表示更新を停止し受信済みのデータ放送の情報を表示する請求項１記載のラジオ受信機。
【請求項４】
前記表示制御部は、ＲＤＳのＡＦ情報を受信した場合、前記周波数制御部がＳＥＥＫ停止した周波数に周波数表示更新が追いつくまでの間に、さらにＡＦ先の周波数に前記周波数変換器の同調周波数を変更し前記Ｓメータで測定された値またはＰＩ情報を収集する請求項３記載のラジオ受信機。
【請求項５】
前記復調器からの音声の出力を制御するＭｕｔｅ制御器を備え、前記Ｍｕｔｅ制御器は前記表示制御部がＳＥＥＫ動作を行っている間、前記復調器からの音声をＭｕｔｅすることを特徴とする請求項１記載のラジオ受信機。
【発明の詳細な説明】
【技術分野】
【０００１】
本発明は、ラジオ受信機の機能の一つであるＳＥＥＫ機構を有するラジオ受信機に関し、特にＲＤＳ（Radio Data System）やＲＢＤＳ（Radio Broadcast Data Standard）、ＶＩＣＳ（登録商標）などのデータ放送を含むラジオ放送を受信するラジオ受信機に関するものである。
【背景技術】
【０００２】
従来のラジオ受信機１００では、受信可能な放送局のある周波数を見つけるための機能として図６にあるような構成によるＳＥＥＫ機構が知られている。具体的な動作としては、ラジオ受信機１００に設けられた制御ＣＰＵ１５０が、受信周波数制御することにより自動的に順次同調周波数を変更し、Ｓメータ１３０で検出された値が、ある閾値を超える周波数に対し、受信可能な放送局がある周波数と判断して周波数変更を停止する。
この動作により、ラジオ受信機１００の使用者は手動で周波数を変更することなく、受信可能な放送局のある周波数を見つけることができる。また、ＳＥＥＫ動作中の受信周波数は、受信周波数制御による受信周波数を表示器１４０に表示することにより、ラジオ受信機１００の使用者に提示される。
【０００３】
さらに、ラジオ受信機の放送局名表示方法として、ＲＤＳやＲＢＤＳなどのデータ放送が含まれる場合、そのデータにＰＳ（Program Service Name）等を含むため、受信中の放送局のＰＳ等のデータ放送による情報をラジオ受信機の表示器で表示する。しかし、データ放送は受信に時間がかかるため、データ放送の受信が完了するまでのＳＥＥＫ直後の表示では、過去に受信したときの情報で表示内容を代用したものが知られている（例えば特許文献１参照）。
【先行技術文献】
【特許文献】
【０００４】
【特許文献１】特公平７−３６５２９号公報
【発明の概要】
【発明が解決しようとする課題】
【０００５】
しかしながら、従来のラジオ受信機によるデータ放送の情報表示においては、ＳＥＥＫ直後ではＰＳなどのデータ放送の受信が完了していないため、ＳＥＥＫ動作により見つかった放送局の最新のデータに基づく情報（ＰＳなど）をＳＥＥＫ直後に表示できないという問題があった。
【０００６】
本発明は、従来の問題を解決するためになされたもので、ＳＥＥＫ直後であっても最新のデータ放送の情報を表示器で表示することのできるラジオ受信機を提供することを目的とする。
【課題を解決するための手段】
【０００７】
上記目的を達成するために本発明のラジオ受信機は、同調周波数を順次変更し放送局を受信することが可能な周波数に変更されると同調周波数の変更を停止するＳＥＥＫ動作を行い、前記ＳＥＥＫ動作中および前記ＳＥＥＫ動作後の同調周波数を表示するラジオ受信機であって、  前記同調周波数の周波数変更を制御する周波数制御部と、周波数とＳＥＥＫ停止フラグとを対応付けて保持するＳＥＥＫ結果データベースと、前記ＳＥＥＫ結果データベースに保持された情報と前記ＳＥＥＫ動作後の受信内容とに基づいて周波数表示更新を制御する表示制御部とを有した制御ＣＰＵを備え、前記表示制御部が行う周波数表示
更新の制御間隔は、前記周波数制御部が行う周波数変更の制御間隔より長いという構成を有する。
【発明の効果】
【０００８】
本発明によれば、表示制御のＳＥＥＫ制御が完了するまでに、復調器のデータ放送の受信信号を受信し、表示がＳＥＥＫ停止周波数に追いつくと、周波数更新を停止し同時に受信済みのデータ放送の情報も表示することが可能となる効果を奏する。
【図面の簡単な説明】
【０００９】
【図１】本発明の実施の形態１におけるラジオ受信機のブロック図
【図２】本発明の実施の形態１におけるラジオ受信機のＳＥＥＫ結果データベースの例を示す図
【図３】本発明の実施の形態１におけるラジオ受信機の周波数制御部と表示制御部の更新間隔違いにより生じるＳＥＥＫ完了までの時間差を説明するための図
【図４】本発明の実施の形態１におけるラジオ受信機の周波数制御部のフローチャート
【図５】本発明の実施の形態１におけるラジオ受信機の表示制御部のフローチャート
【図６】従来のラジオ受信機におけるＳＥＥＫ機能を説明するためのブロック図
【発明を実施するための形態】
【００１０】
（実施の形態１）
以下、本発明の実施の形態１におけるラジオ受信機について図面を参照しながら説明する。
【００１１】
図１は本発明の実施の形態１におけるラジオ受信機１のＳＥＥＫ機能を説明するためのブロック図である。
【００１２】
図１に示すとおり、ラジオ受信機１は、アンテナ２に対して電気的に直接、あるいは図示しないアンテナアンプを介して接続可能な構成であり、なおかつ、アンテナ２から受信した電波に対して所望の信号処理を行って、放送信号を音声信号として出力し、この出力された音声信号がラジオ受信機１に接続可能に設けられたスピーカ３によって音声として使用者に放音される。
【００１３】
図１において、周波数変換器１１はＰＬＬ（Phase-locked loop）やミキサーなどにより構成され、アンテナ２を介して受信したＲＦ信号をＩＦ信号に変換する。ＩＦ信号から音声とデータ放送を復調する復調器１２は、ラジオ受信機１がＦＭ放送の受信機であればＦＭ復調器を持ち、音声信号を復調するとともに、ＦＭ復調後のコンポジット信号からＲＤＳやＲＢＤＳ、ＶＩＣＳ信号を復調し、データ放送を受信する。
【００１４】
また、ＦＭ放送用ＨＤラジオ放送を含む放送に対しては、ＨＤラジオ復調器によりデジタル放送を復調しデジタル音声を復号するとともに放送内容に含まれるデータ放送の情報を取り出す。
【００１５】
また、ラジオ受信機１がＡＭ放送の受信機であれば、ＡＭ復調器が適用される。また、ＡＭ放送用ＨＤラジオ放送を含む放送に対しては、ＨＤラジオ復調器によりデジタル放送を復調しデジタル音声を復号するとともに放送内容に含まれるデータ放送の情報を取り出す。
【００１６】
Ｍｕｔｅ制御器２０は復調器１２からの音声をスピーカ３へ出力するが、後述する表示制御部によりＭｕｔｅ制御され、表示制御部のＳＥＥＫ動作時の周波数表示更新中は音声をＭｕｔｅする。
【００１７】
ＩＦ信号の信号の強さを測定するＳメータ１３は、ＩＦ信号の信号電圧を測定し周波数変換器１１のレベルダイヤを逆算することでＲＦ信号の電界レベルを算出する。表示器１４は受信周波数やデータ放送の受信内容（ＰＳやＰＴＹ、ＴＰなど）を表示する。
【００１８】
また、ラジオ受信機１には、使用者がラジオ受信機１の各機能の動作指示を行うための操作部１９が設けられている。操作部１９は、例えば使用者からのＳＥＥＫ動作指示を受け付けるための操作釦などが配列されたものであり、タッチパネルやリモコンなどを適用することもできる。
【００１９】
制御ＣＰＵ１５は、Ｓメータ１３による測定信号と復調器１２によるデータ放送のデータを受け取り、周波数変換器１１と表示器１４を制御する。制御ＣＰＵ１５は、周波数変換器１１の同調周波数を制御する周波数制御部１６と、周波数とＳＥＥＫ停止フラグを保持するＳＥＥＫ結果データベース１７と、ＳＥＥＫ結果データベース１７の情報と復調器１２からのデータ放送の受信内容を元に表示器１４の表示内容を制御する表示制御部１８をもつ。
【００２０】
ここで、図２を用いてＳＥＥＫ結果データベース１７のデータ構造について説明する。図２は本発明の実施の形態１におけるラジオ受信機１のＳＥＥＫ結果データベース１７のデータ構造を示す図である。
【００２１】
この図２にあるように、ＳＥＥＫ結果データベース１７は、周波数とその周波数のＳＥＥＫ結果を保存するフラグとの組の情報を持つ。
【００２２】
このデータベースは、使用者からのＳＥＥＫ動作指示を受け付けた時点で、［評価前］という内容で初期化される。
【００２３】
ＳＥＥＫ動作中の周波数制御部１６は、Ｓメータ１３の測定信号を監視し、測定信号が閾値を超えた場合、周波数制御部１６が設定中の周波数に対しＳＥＥＫ結果データベース１７の該当周波数のフラグ領域に［停止］を設定する。
【００２４】
ＳＥＥＫ動作中の表示制御部１８はＳＥＥＫ結果データベース１７のフラグ領域の内容に基づき［停止］が設定されている周波数まで表示周波数を更新する。
【００２５】
また、周波数制御部１６と表示制御部１８とは非同期に制御を行う。すなわち、表示周波数の更新間隔は、ユーザー操作の観点から決定されるが、この間隔は周波数制御部１６の周波数制御間隔より長い。
【００２６】
なお、周波数制御部１６の周波数変更の制御間隔は、周波数変換器１１の同調周波数変更動作完了にかかる時間である。
【００２７】
以上のように構成されたラジオ受信機１は、制御ＣＰＵ１５により周波数変換器１１の周波数制御と表示器１４の周波数表示を非同期に動作させることが可能となる。
【００２８】
その結果、図３に示すように、周波数制御によりＳＥＥＫ停止した時点から表示制御がＳＥＥＫ停止するまでに時間差が生じる。
【００２９】
この時間差により、ＳＥＥＫ停止した放送局のデータ放送の受信を先行して開始することが可能となる。
【００３０】
たとえば、周波数制御の周波数更新間隔を１０ミリ秒、表示制御の周波数更新間隔を５０ミリ秒とした場合、８７．５ＭＨzを受信していて、停止可能周波数が１０５．６ＭＨz、周波数ステップが１００ＫＨzだった場合、ＳＥＥＫ指示により、周波数制御部１６は１８１０ミリ秒後にＳＥＥＫ停止周波数となる。一方で、表示制御部１８は９０５０ミリ秒後にＳＥＥＫ停止周波数となる。
【００３１】
ここで、周波数制御部１６のＳＥＥＫ完了から表示制御部１８のＳＥＥＫ完了までは、７２４０ミリ秒の時間がある。ＲＤＳのＰＳ情報取得時間は２秒程度のため、十分に最新の表示情報を取得することが出来る。
【００３２】
したがって、表示制御によるＳＥＥＫ停止時点での表示更新により最新のデータ放送の情報を表示することが可能となる。
【００３３】
なお、従来技術による構成では、周波数変換器１１の同調周波数変更と周波数表示更新は同期して行われるため、たとえ周波数変換器１１の同調周波数変更動作完了が１０ミリ秒であったとしても、表示制御の５０ミリ秒間隔で周波数変更されるため、前記のような時間差は生じない。
【００３４】
以上のように構成されたラジオ受信機について、以下にその処理動作を説明する。
【００３５】
図４は本発明の実施の形態１におけるラジオ受信機のＳＥＥＫ動作時の周波数制御部１６のフローチャートである。
【００３６】
まず、図４に示すように、周波数変換器１１の同調周波数を変更する（ステップＳ４０１）。このとき、操作部１９を介して使用者のＳＥＥＫ指示により指定された周波数の変更方向に同調周波数を変化させる。
【００３７】
図４に示す例では周波数を上げる方を例としているが、周波数を下げる場合も同様である。また、周波数ステップとは、ＦＭ放送の場合は、５０ｋＨｚや１００ｋＨｚ、２００ｋＨｚを取りうる。どの値を取るかは、各国の電波行政による。同様にＡＭ放送の場合も９ｋＨｚや１０ｋＨｚなどの値を取りうる。
【００３８】
次に、ＳＥＥＫ停止すべき周波数であるかどうかを判断するために、Ｓメータ１３の測定情報が閾値より大きいかどうかを判断する（ステップＳ４０２）。
【００３９】
そして、ステップＳ４０２の判断結果に応じて、Ｓメータ１３の測定情報が閾値より低い場合（ステップＳ４０２  ＮＯ）、ＳＥＥＫ結果データベース１７の制御中の周波数に相当するフラグ領域に［停止無し］を記録し（ステップＳ４０３）、ステップＳ４０１へ戻る。
【００４０】
あるいは、Ｓメータ１３の測定情報が閾値より高い場合（ステップＳ４０２  ＹＥＳ）は、ＳＥＥＫ結果データベース１７の制御中の周波数に相当するフラグ領域に［停止］を記録する（ステップＳ４０４）。
ステップＳ４０４の後は、周波数変換器１１の同調周波数をそのままとし、復調器１２でのデータ放送の受信を開始する。
【００４１】
図５は本発明の実施の形態１におけるラジオ受信機のＳＥＥＫ動作時の表示制御部１８のフローチャートである。
【００４２】
まずは、図５に示すように、表示器１４に表示する周波数を変更する（ステップＳ５０
１）。このときの周波数の変更は、図４に示すステップＳ４０１と同様に、周波数ステップを変更する。
【００４３】
次に、周波数の表示更新間隔を調整するため、一定時間が過ぎるまで待つ（ステップＳ５０２）。
【００４４】
ステップＳ５０２における一定時間経過後、ＳＥＥＫ結果データベース１７から該当周波数のフラグを読み出す（ステップＳ５０３）。
【００４５】
そして、ステップＳ５０３において読み出したフラグの内容を判定する（Ｓ５０４）。ステップＳ５０４において、フラグの内容が［評価前］の場合、ＳＥＥＫ停止の判断結果が周波数制御部１６から書き込まれていないため、５０３に戻り、再度フラグを読み出す。
【００４６】
ステップＳ５０４において、フラグ内容が［停止無し］の場合、ステップＳ５０５の処理に移る。
【００４７】
ステップＳ５０５では、周波数制御部１６のＳＥＥＫ動作が完了しているかどうかを確認する。
ステップＳ５０５において、周波数制御部１６のＳＥＥＫ動作が完了している場合（ステップＳ５０５  ＹＥＳ）、データ放送の受信が開始されているので、データ放送のデータの保存を開始するため、次の処理に移り、復調器１２から受信したデータ放送の情報を保存する（ステップＳ５０７）。
【００４８】
ここで、保存するデータ放送の情報は、具体的には、ＰＳ（Program Service Name）や、ＰＴＹ（Program Type）、ＴＰ情報などである。
【００４９】
また、ステップＳ５０５において、周波数制御部１６のＳＥＥＫ動作が完了していない場合（ステップＳ５０５  ＮＯ）は、ステップＳ５０１の処理に戻る。
【００５０】
そして、ステップＳ５０４において、フラグの内容が［停止］であると判断した場合に、当該周波数がＳＥＥＫ停止周波数であるため、ステップＳ５０６の処理に移る。
【００５１】
ステップＳ５０６では、ステップＳ５０７で受信済みのデータ放送の情報を表示器１４に表示する処理が行われる。ここで、表示器１４に表示させる内容は、具体的には、ＰＳ（Program Service Name）や、ＰＴＹ（Program Type）、周波数情報、ＴＰ情報などである。
【００５２】
また、ＲＤＳの場合、ＡＦ情報を取得することが出来る。ステップＳ５０７にてＡＦ情報も保存することで表示制御部１８のＳＥＥＫ停止が完了するまでの間に、ＡＦ先の周波数に周波数変換器１１の同調周波数を変更し、電波状態やＰＩ情報などの情報を収集することも可能となり、ＡＦ性能を改善することが可能となる。
【００５３】
なお、上述の処理において、ステップＳ４０１からステップＳ５０７の処理が終了するまでの間は、Ｍｕｔｅ制御器２０が表示制御部１８によりＭｕｔｅ制御され、表示制御部１８のＳＥＥＫ動作時の周波数表示更新中は音声をＭｕｔｅする。
【００５４】
これは、もしＭｕｔｅ制御が行われないまま周波数制御部１６が先にＳＥＥＫ動作を完了すると、表示制御部１８の周波数がＳＥＥＫ停止する前に、音出し（スピーカ３からの音声出力）が始まってしまい、ユーザに違和感を与えてしまうためである。
【００５５】
以上説明したとおり、本発明によれば、周波数制御部１６と表示制御部１８の周波数制御をそれぞれ独立に制御する非同期制御が実現でき、表示制御部１８は、周波数制御部１６の周波数変更の制御間隔より周波数表示更新の制御間隔が長いため、表示制御部１８のＳＥＥＫ完了より先に周波数制御部１６のＳＥＥＫが完了する。
【００５６】
したがって、表示制御のＳＥＥＫ制御が完了するまでに、復調器のデータ放送の受信信号を受信でき、受信した情報は最新の情報となる。そして、表示制御部１８によって表示器に表示されている周波数がＳＥＥＫ停止周波数になると、周波数更新を停止するとともに受信済みの最新のデータ放送の情報も表示することが可能となる。
【００５７】
なお、ＳＥＥＫ停止判断は、Ｓメータの値だけでなく、隣接妨害や混信状態を考慮した受信クォリティを使用しても良い。
【００５８】
また、ＴＰ局専用ＳＥＥＫやＨＤラジオ局専用ＳＥＥＫなどの場合も、ＳＥＥＫ停止判断時にＴＰフラグやＨＤラジオのフラグをあわせてチェックし判定結果に反映することで動作可能となる。その場合、周波数制御部１６に復調器１２から出力されるデータ放送の情報を入力することで、データ放送の情報に含まれるＴＰフラグ等の情報を取得することが可能となる。その上で、取得したデータ放送の情報を使用したＳＥＥＫ停止判定が可能となる。
【００５９】
さらに、周波数制御部と表示制御部の表示更新時間差でＴＰフラグ等のデータ放送の情報取得に必要な時間を吸収することが可能となり、表示部の周波数更新が滑らかになる。
【産業上の利用可能性】
【００６０】
本発明のラジオ受信機は、ＳＥＥＫ停止直後でも最新のデータ放送の情報を表示することが可能なラジオ受信機として有用である。
【符号の説明】
【００６１】
１      ラジオ受信機
２      アンテナ
３      スピーカ
１１    周波数変換器
１２    復調器
１３    Ｓメータ
１４    表示器
１５    制御ＣＰＵ
１６    周波数制御部
１７    ＳＥＥＫ結果データベース
１８    表示制御部
１９    操作部
２０    Ｍｕｔｅ制御器
１００  ラジオ受信機
１３０  Ｓメータ
１４０  表示器
１５０  制御ＣＰＵ
【図１】
2012090195.tif 000003
【図２】
2012090195.tif 000004
【図３】
2012090195.tif 000005
【図４】
2012090195.tif 000006
【図５】
2012090195.tif 000007
【図６】
2012090195.tif 000008